(57)【要約】【課題】コンテンツの広がり具合について統計をとるための仕組みを提供すること。【解決手段】コンテンツ提供システムは、Ｗｅｂブラウザ１７の特定領域上１７ａにおいて実行される制御用ファイル３２ａを提供する制御用ファイルサーバと、特定コンテンツ１８の広がり具合について統計をとるための統計用サーバとを少なくとも備えている。特定コンテンツ１８には、特定コンテンツ１８のＩＤである所定ＩＤと、特定コンテンツ１８が現在貼付されている位置を示すＩＤである現在位置ＩＤと、特定コンテンツ１８が現在のページに貼付される前に表示されていた位置を示すＩＤである親位置ＩＤとが割り当てられている。特定コンテンツ１８は、少なくとも制御用ファイル３２ａを備えており、制御用ファイル３２ａは、特定領域１７ａ上に表示された際に、所定ＩＤ、現在位置ＩＤ及び親位置ＩＤを含むログを統計用サーバに送信する命令を含んでいる。【選択図】図３
2010044653.tif 000002
【特許請求の範囲】
【請求項１】
少なくとも所定のパーソナライズドページにおいて利用可能な特定コンテンツであって現在表示されているサイトとは異なるサイトのページに貼付可能な特定コンテンツをＷｅｂブラウザの特定領域上に表示させるコンテンツ提供システムであって、
前記特定領域上において実行される制御用ファイルを提供する制御用ファイルサーバと、前記特定コンテンツの広がり具合について統計をとるための統計用サーバとを少なくとも備えたコンテンツ提供システムにおいて、
前記特定コンテンツには、当該特定コンテンツのＩＤである所定ＩＤと、当該特定コンテンツが現在貼付されている位置を示すＩＤである現在位置ＩＤと、当該特定コンテンツが現在のページに貼付される前に表示されていた位置を示すＩＤである親位置ＩＤとが割り当てられており、
前記特定コンテンツは、少なくとも前記制御用ファイルを備えており、
前記制御用ファイルは、前記特定領域上に表示された際に、前記所定ＩＤ、前記現在位置ＩＤ及び前記親位置ＩＤを含むログを前記統計用サーバに送信する命令を含んでいる
コンテンツ提供システム。
【請求項２】
前記実行された制御用ファイル上において実行されてユーザコンテンツを表示させるユーザコンテンツファイルを格納するコンテンツ配布サーバであって前記所定ＩＤに対応するユーザコンテンツファイルを格納するコンテンツ配布サーバを更に備えており、
前記特定コンテンツは、前記実行された制御用ファイル及び前記実行されたユーザコンテンツファイルを少なくとも備えている
請求項１記載のコンテンツ提供システム。
【請求項３】
前記実行されたユーザコンテンツファイル上において実行されて広告情報を表示させる広告用ファイルと前記所定ＩＤとを関連付けて格納する広告サーバを更に備えており、
前記特定コンテンツは、前記実行された制御用ファイル、前記実行されたユーザコンテンツファイル及び前記実行された広告用ファイルの３つのレイヤーからなるものである、
請求項２記載のコンテンツ提供システム。
【請求項４】
前記ユーザコンテンツファイルのＵＲＩを含むコンテンツ情報と前記所定ＩＤとを関連付けて格納する情報サーバを更に備えており、
前記制御用ファイルは、前記情報サーバに対して前記所定ＩＤを送信することにより当該所定ＩＤに関連づけられた前記コンテンツ情報を取得する命令と、前記取得したコンテンツ情報に基づいて前記ユーザコンテンツファイルを取得する命令と、実行された当該制御用ファイル上において前記取得したユーザコンテンツファイルを実行する命令とを含むものであり、
前記ユーザコンテンツファイルは、前記制御用ファイルから前記所定ＩＤを取得する命令と、前記所定ＩＤを前記広告サーバに送信することにより当該所定ＩＤに関連づけられた前記広告用ファイルを取得する命令と、再生された当該ユーザコンテンツファイル上において前記取得した広告用ファイルを実行する命令とを含むものである
請求項３記載のコンテンツ提供システム。
【請求項５】
前記制御用ファイルは、前記特定コンテンツの前記所定のパーソナライズドページへの貼付用のボタン又はリンクを有する貼付用ユーザインタフェースを提示する命令と、前記貼付用のボタン又はリンクのクリックイベントに応じて前記情報サーバに対して前記所定ＩＤ及び前記現在位置ＩＤを送信する命令と、前記所定のパーソナライズドページのサービスを提供するサービス提供サーバの有するインタフェースに対して前記情報サーバから受けた挿入用コードを送信する命令とを更に含んでおり、
前記情報サーバは、前記制御用ファイルから前記所定ＩＤ及び前記現在位置ＩＤを受けると、その受け取った前記現在位置ＩＤを新しい親位置ＩＤとすると共に新しい現在位置ＩＤを設定し、前記所定ＩＤと新しい前記親位置ＩＤと新しい前記現在位置ＩＤとの３つのＩＤを含む挿入用コードを生成して、前記制御用ファイルに対して送信するものである
請求項４記載のコンテンツ提供システム。
【請求項６】
前記サービス提供サーバは、Ｗｅｂブラウザからの要求により、前記挿入用コードを含むＨＴＭＬファイルを当該Ｗｅｂブラウザに対して送信するものであり、
前記挿入用コードは、該Ｗｅｂブラウザに実行されることにより、前記特定領域上にて前記制御用ファイルを実行すると共に、前記挿入用コードに含まれていた前記所定ＩＤ、前記現在位置ＩＤ、及び前記親位置ＩＤを前記実行された制御用ファイルに渡すものである
請求項５記載のコンテンツ提供システム。
【請求項７】
前記制御用ファイル、前記ユーザコンテンツファイル及び前記広告用ファイルは、ｓｗｆファイルであって、ＦＬＡＳＨ（登録商標）プレイヤーにより再生されることにより実行されるものであり、
前記特定コンテンツは、ＦＬＡＳＨ（登録商標）ベースのコンテンツである
請求項３乃至請求項６のいずれかに記載のコンテンツ提供システム。
【請求項８】
請求項１乃至請求項７のいずれかに記載の制御用ファイルサーバ。
【請求項９】
請求項４乃至請求項７のいずれかに記載の情報サーバ。
【発明の詳細な説明】
【技術分野】
【０００１】
本発明は、例えばパーソナライズドページにおいて利用可能な特定コンテンツであって現在表示されているサイトとは異なるサイトのページに貼付可能な特定コンテンツをＷｅｂブラウザの特定領域上に表示させるコンテンツ提供システムに関する。
【背景技術】
【０００２】
近年、ブログパーツとして利用したり、パーソナライズドページに貼り付けたりすることの可能なコンテンツであって、貼り付けられたブログ等を経由してバイラルに広がっていくことのできる様々なコンテンツが提供され、利用されてきている（例えば、非特許文献１参照）。
【０００３】
【非特許文献１】http://springwidgets.com/
【発明の開示】
【発明が解決しようとする課題】
【０００４】
本発明は、上述したようなコンテンツの広がり具合について統計をとるための仕組みを提供することを目的とする。
【課題を解決するための手段】
【０００５】
本発明によれば、第１のコンテンツ提供システムとして、
少なくとも所定のパーソナライズドページにおいて利用可能な特定コンテンツであって現在表示されているサイトとは異なるサイトのページに貼付可能な特定コンテンツをＷｅｂブラウザの特定領域上に表示させるコンテンツ提供システムであって、
前記特定領域上において実行される制御用ファイルを提供する制御用ファイルサーバと、前記特定コンテンツの広がり具合について統計をとるための統計用サーバとを少なくとも備えたコンテンツ提供システムにおいて、
前記特定コンテンツには、当該特定コンテンツのＩＤである所定ＩＤと、当該特定コンテンツが現在貼付されている位置を示すＩＤである現在位置ＩＤと、当該特定コンテンツが現在のページに貼付される前に表示されていた位置を示すＩＤである親位置ＩＤとが割り当てられており、
前記特定コンテンツは、少なくとも前記制御用ファイルを備えており、
前記制御用ファイルは、前記特定領域上に表示された際に、前記所定ＩＤ、前記現在位置ＩＤ及び前記親位置ＩＤを含むログを前記統計用サーバに送信する命令を含んでいる
コンテンツ提供システムが得られる。
【０００６】
本発明によれば、第２のコンテンツ提供システムとして、第１のコンテンツ提供システムにおいて、
前記実行された制御用ファイル上において実行されてユーザコンテンツを表示させるユーザコンテンツファイルを格納するコンテンツ配布サーバであって前記所定ＩＤに対応するユーザコンテンツファイルを格納するコンテンツ配布サーバを更に備えており、
前記特定コンテンツは、前記実行された制御用ファイル及び前記実行されたユーザコンテンツファイルを少なくとも備えている
コンテンツ提供システムが得られる。
【０００７】
本発明によれば、第３のコンテンツ提供システムとして、第２のコンテンツ提供システムにおいて、
前記実行されたユーザコンテンツファイル上において実行されて広告情報を表示させる広告用ファイルと前記所定ＩＤとを関連付けて格納する広告サーバを更に備えており、
前記特定コンテンツは、前記実行された制御用ファイル、前記実行されたユーザコンテンツファイル及び前記実行された広告用ファイルの３つのレイヤーからなるものである、コンテンツ提供システムが得られる。
【０００８】
本発明によれば、第４のコンテンツ提供システムとして、第３のコンテンツ提供システムにおいて、
前記ユーザコンテンツファイルのＵＲＩを含むコンテンツ情報と前記所定ＩＤとを関連付けて格納する情報サーバを更に備えており、
前記制御用ファイルは、前記情報サーバに対して前記所定ＩＤを送信することにより当該所定ＩＤに関連づけられた前記コンテンツ情報を取得する命令と、前記取得したコンテンツ情報に基づいて前記ユーザコンテンツファイルを取得する命令と、実行された当該制御用ファイル上において前記取得したユーザコンテンツファイルを実行する命令とを含むものであり、
前記ユーザコンテンツファイルは、前記制御用ファイルから前記所定ＩＤを取得する命令と、前記所定ＩＤを前記広告サーバに送信することにより当該所定ＩＤに関連づけられた前記広告用ファイルを取得する命令と、再生された当該ユーザコンテンツファイル上において前記取得した広告用ファイルを実行する命令とを含むものである
コンテンツ提供システムが得られる。
【０００９】
本発明によれば、第５のコンテンツ提供システムとして、第４のコンテンツ提供システムにおいて、
前記制御用ファイルは、前記特定コンテンツの前記所定のパーソナライズドページへの貼付用のボタン又はリンクを有する貼付用ユーザインタフェースを提示する命令と、前記貼付用のボタン又はリンクのクリックイベントに応じて前記情報サーバに対して前記所定ＩＤ及び前記現在位置ＩＤを送信する命令と、前記所定のパーソナライズドページのサービスを提供するサービス提供サーバの有するインタフェースに対して前記情報サーバから受けた挿入用コードを送信する命令とを更に含んでおり、
前記情報サーバは、前記制御用ファイルから前記所定ＩＤ及び前記現在位置ＩＤを受けると、その受け取った前記現在位置ＩＤを新しい親位置ＩＤとすると共に新しい現在位置ＩＤを設定し、前記所定ＩＤと新しい前記親位置ＩＤと新しい前記現在位置ＩＤとの３つのＩＤを含む挿入用コードを生成して、前記制御用ファイルに対して送信するものである
コンテンツ提供システムが得られる。
【００１０】
本発明によれば、第６のコンテンツ提供システムとして、第５のコンテンツ提供システムにおいて、
前記サービス提供サーバは、Ｗｅｂブラウザからの要求により、前記挿入用コードを含むＨＴＭＬファイルを当該Ｗｅｂブラウザに対して送信するものであり、
前記挿入用コードは、該Ｗｅｂブラウザに実行されることにより、前記特定領域上にて前記制御用ファイルを実行すると共に、前記挿入用コードに含まれていた前記所定ＩＤ、前記現在位置ＩＤ、及び前記親位置ＩＤを前記実行された制御用ファイルに渡すものである
コンテンツ提供システムが得られる。
【００１１】
本発明によれば、第７のコンテンツ提供システムとして、第３乃至第６のコンテンツ提供システムのいずれかにおいて、
前記制御用ファイル、前記ユーザコンテンツファイル及び前記広告用ファイルは、ｓｗｆファイルであって、ＦＬＡＳＨ（登録商標）プレイヤーにより再生されることにより実行されるものであり、
前記特定コンテンツは、ＦＬＡＳＨ（登録商標）ベースのコンテンツである
コンテンツ提供システムが得られる。
【発明の効果】
【００１２】
本発明によれば、所定ＩＤ，現在位置ＩＤ及び親位置ＩＤを使って統計をとることで、パーソナライズドページにおけるコンテンツやブログパーツとして利用されることにより、コンテンツの広がっていく様子を簡単に把握することができる。
【００１３】
また、ユーザコンテンツを表示するレイヤーと広告を表示するレイヤーとを分けることとすると、ユーザコンテンツと広告との組み合わせの自由度を高めることができる。
【００１４】
加えて、上述したようにユーザコンテンツと広告とを分離することとすると、例えば、統計の結果により、価値あるユーザコンテンツを特定し、それに対して重要度の高い広告を組み合わせるといったことも可能となる。
【発明を実施するための最良の形態】
【００１５】
本発明の実施の形態によるコンテンツ提供システムは、例えば、パーソナライズドページにおいて利用されるコンテンツやブログパーツとして利用可能なコンテンツを提供するものであり、図１に示されるように、ユーザ端末１０と、パーソナライズドページのサービスを提供するサービス提供サーバ２０と、所定スクリプト３１及び制御用ファイル３２を格納する制御用ファイルサーバ３０と、情報サーバ４０、ユーザコンテンツファイル５２を格納するコンテンツ配布サーバ５０、統計用サーバ６０、広告用ファイル７２を格納する広告サーバ７０、及びサービス提供サーバ２０とは異なるパーソナライズドページのサービスを提供するサービス提供サーバ８０とを備えている。ここで、本実施の形態による所定スクリプト（ａａａ．ｊｓ）は、ＪａｖａＳｃｒｉｐｔ（登録商標）で記述されたものであり、また、制御用ファイル（ｂｂｂ．ｓｗｆ）３２、ユーザコンテンツファイル（ｃｃｃ．ｓｗｆ）５２及び広告用ファイル（ｄｄｄ．ｓｗｆ）７２は、いずれもｓｗｆファイルであり、ＦＬＡＳＨ（登録商標）プレイヤーにより再生されるものである。
【００１６】
ユーザ端末１０は、図２に示されるように、互いにバス接続されたＣＰＵ１１、主記憶１２、補助記憶１３、送受信部１６、及び出力部１４、並びに出力部１４に接続された表示部１５を備えている。このうち主記憶１２は例えばＤＲＡＭなどで構成されている。補助記憶１３は例えばＨＤＤなどで構成されている。表示部１５はディスプレイ等で構成されている。
【００１７】
補助記憶１３にはＷｅｂブラウザなどのプログラムが格納されている。Ｗｅｂブラウザなどのプログラムや各種サーバからロードされたプログラムなどは、主記憶１２上に展開されＣＰＵ１１によって実行される。また、主記憶１２上にはＣＰＵ１１がプログラムに従って動作している間に生成したデータやＣＰＵ１１によって利用されるデータも一時的に格納される。
【００１８】
送受信部１６はＣＰＵ１１の制御によりユーザ端末とインターネットとの接続を確立する。表示部１５には、ＣＰＵ１１で所定の演算又は処理が行われた結果により、例えば画像等が出力部１４を介して表示される。
【００１９】
本発明の実施の形態においては、ユーザ端末１０上においてＷｅｂブラウザなどのプログラムがＣＰＵ１１に実行され、３つのレイヤーを有する特定コンテンツが表示される。
【００２０】
詳しくは、本実施の形態による特定コンテンツ１８は、図３に示されるように、Ｗｅｂブラウザ１７の特定領域１７ａ上で再生された（実行された）制御用ファイル３２ａ、その制御用ファイル３２ａ上で再生された（実行された）ユーザコンテンツファイル５２ａ及びそのユーザコンテンツファイル５２ａ上で再生された（実行された）広告用ファイル７２ａの３つのレイヤーを有するものである。具体的には、特定コンテンツ１８は、図４及び図５に示されるように、制御用ファイル３２ａ、ユーザコンテンツファイル５２ａ及び広告用ファイル７２ａを重ねあわせたような内容を表示するものである。このうち、ユーザコンテンツファイル５２ａの内容は特定コンテンツ１８の主たる内容であり、各ユーザがパーソナライズドページに追加したり、ブログパーツとして自己のブログへ追加したりするもととなるものである。一方、広告用ファイル７２ａは、そのユーザコンテンツファイル５２ａに付随して配信されるものである。本実施の形態においては、ユーザコンテンツファイル５２ａと広告用ファイル７２ａは、その関連付けを管理することとし、それぞれのファイルは別個のサーバにて管理（格納）されているものとする。なお、広告用ファイル７２ａにて表示される内容は、ユーザコンテンツファイル５２ａの内容と重複しないように表示されるものとしてもよいし、ユーザコンテンツファイル５２ａの再生終了後に表示されることとしてもよい。
【００２１】
以下、図６をも参照して、上述したような３層構造の特定コンテンツ１８の表示方法について詳細に説明する。なお、以下に説明する例においては、特定コンテンツ１８は、初期状態においては、サービス提供サーバ２０の提供するパーソナライズドページに貼付されているコンテンツであるとする。
【００２２】
Ｗｅｂブラウザ１７からサービス提供サーバ２０に対してユーザ端末１０のユーザのパーソナライズドページのリクエストが行われると（ＳＱ１）、サービス提供サーバ２０は、対応するＨＴＭＬファイルをＷｅｂブラウザ１７に送信する（ＳＱ２）。このＨＴＭＬファイルには、パーソナライズドページに特定コンテンツ１８を表示させるための挿入用ＪａｖａＳｃｒｉｐｔ（登録商標）コードが記述されている。この挿入用ＪａｖａＳｃｒｉｐｔ（登録商標）コードには、所定ＩＤ、現在位置ＩＤ及び親位置ＩＤの３つのＩＤが含まれている。ここで、所定ＩＤとは、特定コンテンツ１８に固有のＩＤである。現在位置ＩＤとは、特定コンテンツ１８の現在貼付されている位置を示すＩＤである。また、親位置ＩＤとは、特定コンテンツ１８が現在のページに貼付される前に表示されていた位置を示すＩＤである。
【００２３】
Ｗｅｂブラウザ１７は、取得したＨＴＭＬファイルを解釈し（ＳＱ３）、取得したＨＴＭＬファイルに含まれていた挿入用ＪａｖａＳｃｒｉｐｔ（登録商標）コードを実行することにより、制御用ファイルサーバ３０に対して所定スクリプト（ａａａ．ｊｓ）の送信リクエストを行う（ＳＱ４）。制御用ファイルサーバ３０は、そのリクエストを受けて、所定スクリプト（ａａａ．ｊｓ）をＷｅｂブラウザ１７に対して送信する（ＳＱ５）。この所定スクリプト（ａａａ．ｊｓ）を受信すると、Ｗｅｂブラウザ１７は、所定スクリプト（ａａａ．ｊｓ）に含まれているメソッドを呼び出して、Ｗｅｂブラウザ１７の特定領域１７ａに対して制御用ファイルを貼り付けるためのタグをページに挿入する（ＳＱ６）。タグが挿入されると、Ｗｅｂブラウザ１７は、挿入されたタグの内容に基づいて制御用ファイルサーバ３０に対して制御用ファイル（ｂｂｂ．ｓｗｆ）の送信要求を行う（ＳＱ７）。リクエストを受けると、制御用ファイルサーバ３０は、制御用ファイル（ｂｂｂ．ｓｗｆ）をＷｅｂブラウザ１７に対して送信する（ＳＱ８）。Ｗｅｂブラウザ１７は、このようにして取得した制御用ファイル（ｂｂｂ．ｓｗｆ）を特定領域１７ａ上にてＦＬＡＳＨ（登録商標）プレイヤーにより実行させる。この際、Ｗｅｂブラウザ１７からＪａｖａＳｃｒｉｐｔ（登録商標）に含まれていた所定ＩＤ、現在位置ＩＤ及び親位置ＩＤの３つのＩＤが実行された制御用ファイル（ｂｂｂ．ｓｗｆ）３２ａに渡される。
【００２４】
制御用ファイル３２ａは、Ｗｅｂブラウザ１７から渡された３つのＩＤに含まれる所定ＩＤを情報サーバ４０に送信する（ＳＱ９）。
【００２５】
情報サーバ４０は、ＩＤとユーザコンテンツファイル（ｃｃｃ．ｓｗｆ）のＵＲＩ等を含むコンテンツ情報とを関連付けて格納しているサーバであり、制御用ファイル３２ａからの所定ＩＤを受けて、それに対応するコンテンツ情報を制御用ファイル３２ａに対して送信する（ＳＱ１０）。
【００２６】
制御用ファイル３２ａは、情報サーバから取得したコンテンツ情報に従って、コンテンツ配布サーバ５０にアクセスし、ユーザコンテンツファイル（ｃｃｃ．ｓｗｆ）５２を要求する（ＳＱ１１）。その要求に応じて、コンテンツ配布サーバ５０は、ユーザコンテンツファイル（ｃｃｃ．ｓｗｆ）５２を制御用ファイル３２ａに対して送信する（ＳＱ１２）。
【００２７】
次いで、制御用ファイル３２ａは、統計用サーバ６０に対して、所定ＩＤ、現在位置ＩＤ及び親位置ＩＤを含むログを送信する（ＳＱ１３）。このログ送信は、ユーザコンテンツファイル（ｃｃｃ．ｓｗｆ）５２の取得前に行ってもよいし、後述するように広告用ファイル（ｄｄｄ．ｓｗｆ）を取得・再生した後に行ってもよい。このログ送信により、統計用サーバ６０においては、特定コンテンツ１８の広がり具合について容易に統計をとることができる。
【００２８】
制御用ファイル３２ａは、自己の上において、取得したユーザコンテンツファイル（ｃｃｃ．ｓｗｆ）５２を実行する（ＳＱ１４）。実行されたユーザコンテンツファイル（ｃｃｃ．ｓｗｆ）５２ａは、制御ファイル３２ａから所定ＩＤを取得する（ＳＱ１５）。
【００２９】
ユーザコンテンツファイル（ｃｃｃ．ｓｗｆ）５２ａは、所定ＩＤを広告サーバ７０に送信して（ＳＱ１６）、広告用ファイル（ｄｄｄ．ｓｗｆ）の送信リクエストを行う。ここで、広告サーバ７０に対して送信された所定ＩＤは、ユーザコンテンツファイル（ｃｃｃ．ｓｗｆ）５２についてのコンテンツ情報を情報サーバ４０から取得する際に使用されたＩＤである。即ち、本実施の形態においては、ユーザコンテンツファイル（ｃｃｃ．ｓｗｆ）５２の取得に用いられたＩＤと同一のＩＤを用いて広告用ファイル（ｄｄｄ．ｓｗｆ）の取得が行われる。
【００３０】
広告サーバ７０は、ＩＤと広告用ファイルとを関連付けて格納しているものであり、ユーザコンテンツファイル（ｃｃｃ．ｓｗｆ）から所定ＩＤを受けて、その所定ＩＤと関連付けられている広告用ファイル（ｄｄｄ．ｓｗｆ）をユーザコンテンツファイル（ｃｃｃ．ｓｗｆ）５２ａに対して送信する（ＳＱ１７）。
【００３１】
ユーザコンテンツファイル（ｃｃｃ．ｓｗｆ）５２ａは、広告用ファイル（ｄｄｄ．ｓｗｆ）を受信すると、その広告用ファイル（ｄｄｄ．ｓｗｆ）を自己の上で実行する（ＳＱ１８）。このようにして、Ｗｅｂブラウザ１７の特定領域１７ａ内に３つのレイヤーを有する特定コンテンツ１８を表示させることができる。
【００３２】
次いで、本実施の形態による特定コンテンツ１８を他のパーソナライズドページに組み込む際の処理について説明する。
【００３３】
上述した実施の形態による特定コンテンツ１８には、ボタン３２ａ１が設けられており、このボタンをユーザがクリックすると、そのクリックイベントに応じて、図７に示されるような貼付用ユーザインタフェース３２ａ２が表示される（ＳＱ２０）。貼付用ユーザインタフェース３２ａ２には、様々なパーソナライズドページを提供しているサービス用のボタン３２ａ３，３２ａ４などが設けられている。ここで、ボタン３２ａ３は、サービス提供サーバ８０により提供されているサービスを指しているものとする。
【００３４】
ボタン３２ａ３をクリックするクリックイベントを検知すると、実行された制御用ファイル３２ａは、所定ＩＤと現在位置ＩＤを情報サーバ４０に送信する（ＳＱ２１）。
【００３５】
情報サーバ４０は、所定ＩＤ及び現在位置ＩＤを受信すると、受信した現在位置ＩＤを親位置ＩＤとすると共に新しい現在位置ＩＤを生成し、次いで、所定ＩＤと、新しい現在位置ＩＤ及び新しい親位置ＩＤの３つのＩＤを含む新しい挿入用ＪａｖａＳｃｒｉｐｔ（登録商標）コードを生成して、実行された制御用ファイル３２ａに対して生成した挿入用ＪａｖａＳｃｒｉｐｔ（登録商標）コードを送信する（ＳＱ２２）。
【００３６】
制御用ファイル３２ａは、挿入用ＪａｖａＳｃｒｉｐｔ（登録商標）コードを受信すると、その挿入用ＪａｖａＳｃｒｉｐｔ（登録商標）コードをサービス提供サーバ８０により提供されているサービスのインタフェースに渡す（ＳＱ２３）。
【００３７】
サービス提供サーバ８０は、挿入用ＪａｖａＳｃｒｉｐｔ（登録商標）コードを受け取ると、その挿入用ＪａｖａＳｃｒｉｐｔ（登録商標）コードを含むＨＴＭＬファイルを作成する（ＳＱ２４）。このＨＴＭＬファイルは、サービス提供サーバ８０の提供するパーソナライズドページをユーザがＷｅｂブラウザ１７で表示しようとする際にＷｅｂブラウザ１７からのリクエストに応じてＷｅｂブラウザ１７側に送信される（図６のＳＱ１，ＳＱ２参照）。
【００３８】
なお、上述した実施の形態においては、情報サーバ４０からコンテンツ情報を取得し、取得したコンテンツ情報を用いてユーザコンテンツファイル５２をコンテンツ配布サーバ５０から取得することとしていたが、情報サーバ４０へアクセスすることなく、コンテンツ配布サーバ５０からユーザコンテンツファイル５２を直接取得することとしてもよい。その場合、コンテンツ配布サーバ５０はＩＤとユーザコンテンツファイル５２を関連付けて格納している必要がある。
【００３９】
また、上述した実施の形態においては、特定コンテンツが制御用ファイル３２ａ、ユーザコンテンツファイル５２ａ及び広告用ファイル７２ａの３つのレイヤーを有するものであったが、特定コンテンツは所定ＩＤ、現在位置ＩＤ及び親位置ＩＤを統計用サーバ６０に送信する命令を含む制御用ファイル３２ａを少なくとも有するものであればよく、制御用ファイル３２ａにユーザコンテンツ等を含ませることとしてもよい。但し、制御用ファイル３２ａとコンテンツ等を表示させるファイルとを分離したほうがコンテンツの自由度を高める上で好ましい。
【図面の簡単な説明】
【００４０】
【図１】本発明の実施の形態によるコンテンツ提供システムの構成を概略的に示す構成図である。
【図２】本発明の実施の形態によるユーザ端末の構成を示すブロック図である。
【図３】Ｗｅｂブラウザ上における特定コンテンツの構成を概略的に示す図である。
【図４】特定コンテンツの例を示す分解図である。
【図５】特定コンテンツの例を示す正面図である。
【図６】特定コンテンツの表示までの手順を示すシーケンスチャートである。
【図７】パーソナライズドページへの貼付用のユーザインタフェースを示す図である。
【図８】パーソナライズドページへの特定コンテンツの貼付手順を示すシーケンスチャートである。
【符号の説明】
【００４１】
１０        ユーザ端末
１１        ＣＰＵ
１２        主記憶
１３        補助記憶
１４        出力部
１５        表示部
１６        送受信部
１７        Ｗｅｂブラウザ
１７ａ      特定領域
１８        特定コンテンツ
２０        サービス提供サーバ
３０        制御用ファイルサーバ
３１        所定スクリプト
３２        制御用ファイル
３２ａ      （実行された）制御用ファイル
４０        情報サーバ
５０        コンテンツ配布サーバ
５２        ユーザコンテンツファイル
５２ａ      （実行された）ユーザコンテンツファイル
６０        統計用サーバ
７０        広告サーバ
７２        広告用ファイル
７２ａ      （実行された）広告用ファイル
８０        サービス提供サーバ
【図１】
2010044653.tif 000003
【図２】
2010044653.tif 000004
【図３】
2010044653.tif 000005
【図４】
2010044653.tif 000006
【図５】
2010044653.tif 000007
【図６】
2010044653.tif 000008
【図７】
2010044653.tif 000009
【図８】
2010044653.tif 000010